(57)【要約】【課題】複数の芯線をより均一に被覆すること。【解決手段】芯線１２を通過可能な複数の芯線通過路３５が一方向に沿って扁平な形態で並列状に並んだ形状に形成された芯線案内口３４を有し、先端部が一方向に長尺な扁平形状に形成された内金型３０と、先端部で内金型３０の先端部の長手方向に長尺で且つ長尺方向に直交する方向に短尺な形状に開口する樹脂吐出口５２を有し、樹脂吐出口５２の先端部が芯線案内口３４の先端部に対して面一かそれより前方に位置すると共に内金型３０の外周部に対して絶縁被覆材料が通過可能な隙間をあけて配設されている外金型５０とを備える。芯線案内口３４と樹脂吐出口５２とは、樹脂吐出口５２の短手方向における芯線案内口３４の開口縁部と樹脂吐出口５２の開口縁部との間隔が、少なくとも樹脂吐出口５２の長尺方向の中間部分において下側より上側の方が大きく設定されている。【選択図】図６
2013144374.tif 000002
【特許請求の範囲】
【請求項１】
一方向に沿って扁平な形態で並列状に配置された複数の芯線の外周部を絶縁被覆材料により覆って形成されるフラットケーブルを押出成形するためのフラットケーブル押出金型であって、
先端部で円状に開口すると共に前記芯線を延在方向に沿って通過可能な複数の芯線通過路が一方向に沿って扁平な形態で並列状に並んだ形状に形成された芯線案内口を有し、前記先端部が前記一方向に長尺な扁平形状に形成された内金型と、
先端部で、前記内金型の先端部の長手方向に長尺で且つ前記長尺方向に直交する方向に短尺な形状に開口する樹脂吐出口を有し、前記樹脂吐出口の先端部が前記芯線案内口の先端部に対して面一かそれより前方に位置すると共に前記内金型の外周部に対して前記絶縁被覆材料が通過可能な隙間をあけて配設されている外金型と、
を備え、
前記芯線案内口と前記樹脂吐出口とは、前記樹脂吐出口の短手方向における前記芯線案内口の開口縁部と前記樹脂吐出口の開口縁部との間隔が、少なくとも前記樹脂吐出口の長尺方向の中間部分において下側より上側の方が大きく設定されている、フラットケーブル押出金型。
【請求項２】
請求項１に記載のフラットケーブル押出金型であって、
前記樹脂吐出口は、前記短尺方向において対向する上側部分及び下側部分のうちの少なくとも一方のうちの前記長手方向における前記中間部分を含む部分が上側に向けて凸となる形状に湾曲している、フラットケーブル押出金型。
【請求項３】
請求項１又は請求項２に記載のフラットケーブル押出金型であって、
前記樹脂吐出口は、前記短尺方向において対向する上側部分及び下側部分の両方のうちの前記長手方向における前記中間部分を含む部分が上側に向けて凸となる形状に湾曲している、フラットケーブル押出金型。
【請求項４】
一方向に沿って扁平な形態で並列状に配置された複数の芯線の外周部を絶縁被覆材料により覆って形成されるフラットケーブルの製造方法であって、
（ａ）請求項１〜請求項３のいずれか一項に記載のフラットケーブル押出金型において、前記内金型の前記芯線案内口を通じて前記複数の芯線を一方向に沿って扁平な形態で並列状に下流側に移動させる工程と、
（ｂ）前記フラットケーブル押出金型において、前記内金型と前記外金型との隙間を通じて、前記樹脂吐出口から前記絶縁被覆材料を前記工程（ａ）で下流側に移動される前記複数の芯線の外周部を覆う形態で押し出す工程と、
を備える、フラットケーブルの製造方法。
【発明の詳細な説明】
【技術分野】
【０００１】
この発明は、フラットケーブルを製造する技術に関する。
【背景技術】
【０００２】
特許文献１には、フラットケーブルが開示されている。このようなフラットケーブルは、一般的に、並列状に配列される複数の芯線の外周部を覆う形態で絶縁被覆材料を押出して絶縁被覆部を成形することにより製造される。
【０００３】
より具体的には、フラットケーブルの製造は、複数の芯線を芯線案内口を通じて並列状に案内する内金型と、先端部に樹脂吐出口を有し、内金型の外周側に被覆材料通過用の隙間をあけて配設される外金型とを有する治具を用いて行う。そして、内金型の芯線案内口から引き出される芯線の外周部を覆う形態で、溶融した或いは軟らかい状態の絶縁被覆材料が内金型と外金型との隙間から樹脂吐出口を通じて吐出される。
【０００４】
樹脂吐出口の形状は、一般的に、複数の芯線を並べた方向に沿って扁平な孔状に形成される。より具体的には、樹脂吐出口は、上記複数の芯線を並べた方向に沿って、平行に対向する直線状の一対の壁部を有している。
【先行技術文献】
【特許文献】
【０００５】
【特許文献１】特開２０１１−１４４４９号公報
【発明の概要】
【発明が解決しようとする課題】
【０００６】
しかしながら、絶縁被覆材料は、溶融状態或いは軟らかい状態で樹脂吐出口から吐出されるため、樹脂吐出口より下流側では重力の影響を受けて垂れ下がってしまう恐れがある。そして、このように垂れ下がった絶縁被覆材料が固まると、複数の芯線に対して、鉛直方向上側部分の幅方向中央部分が肉薄になり、下側部分の幅方向中央部分が肉厚になってしまう。
【０００７】
そこで、本発明は、複数の芯線をより均一に被覆することを目的とする。
【課題を解決するための手段】
【０００８】
第１の態様は、一方向に沿って扁平な形態で並列状に配置された複数の芯線の外周部を絶縁被覆材料により覆って形成されるフラットケーブルを押出成形するためのフラットケーブル押出金型であって、先端部で円状に開口すると共に前記芯線を延在方向に沿って通過可能な複数の芯線通過路が一方向に沿って扁平な形態で並列状に並んだ形状に形成された芯線案内口を有し、前記先端部が前記一方向に長尺な扁平形状に形成された内金型と、先端部で、前記内金型の先端部の長手方向に長尺で且つ前記長尺方向に直交する方向に短尺な形状に開口する樹脂吐出口を有し、前記樹脂吐出口の先端部が前記芯線案内口の先端部に対して面一かそれより前方に位置すると共に前記内金型の外周部に対して前記絶縁被覆材料が通過可能な隙間をあけて配設されている外金型とを備え、前記芯線案内口と前記樹脂吐出口とは、前記樹脂吐出口の短手方向における前記芯線案内口の開口縁部と前記樹脂吐出口の開口縁部との間隔が、少なくとも前記樹脂吐出口の長尺方向の中間部分において下側より上側の方が大きく設定されている。
【０００９】
第２の態様は、第１の態様に係るフラットケーブル押出金型であって、前記樹脂吐出口は、前記短尺方向において対向する上側部分及び下側部分のうちの少なくとも一方のうちの前記長手方向における前記中間部分を含む部分が上側に向けて凸となる形状に湾曲している。
【００１０】
第３の態様は、第１又は第２の態様に係るフラットケーブル押出金型であって、前記樹脂吐出口は、前記短尺方向において対向する上側部分及び下側部分の両方のうちの前記長手方向における前記中間部分を含む部分が上側に向けて凸となる形状に湾曲している。
【００１１】
第４の態様は、一方向に沿って扁平な形態で並列状に配置された複数の芯線の外周部を絶縁被覆材料により覆って形成されるフラットケーブルの製造方法であって、（ａ）請求項１〜請求項３のいずれか一項に記載のフラットケーブル押出金型において、前記内金型の前記芯線案内口を通じて前記複数の芯線を一方向に沿って扁平な形態で並列状に下流側に移動させる工程と、（ｂ）前記フラットケーブル押出金型において、前記内金型と前記外金型との隙間を通じて、前記樹脂吐出口から前記絶縁被覆材料を前記工程（ａ）で下流側に移動される前記複数の芯線の外周部を覆う形態で押し出す工程とを備える。
【発明の効果】
【００１２】
第１の態様に係るフラットケーブル押出金型によると、内金型の芯線案内口と外金型の樹脂吐出口とが、樹脂吐出口の短手方向における芯線案内口の開口縁部と樹脂吐出口の開口縁部との間隔が少なくとも樹脂吐出口の長尺方向の中間部分において下側より上側のほうが大きく設定されている。このため、樹脂吐出口から吐出された絶縁被覆材料が重力の影響によって下方に垂れ下がっても、複数の芯線に対して下側より肉厚に吐出された上側の絶縁被覆材料の一部が、複数の芯線の外周部に付着した状態で下方に移動することにより、複数の芯線をより均一に被覆することができる。
【００１３】
第２の態様に係るフラットケーブル押出金型によると、樹脂吐出口が、短尺方向において対向する上側部分及び下側部分のうちの少なくとも一方のうちの長手方向における中間部分を含む部分が上側に向けて凸となる形状に湾曲している。このように絶縁被覆材料の垂れ下がりの影響が大きくなる恐れのある中間部分に湾曲形状が設けられているため、より平坦な形状のフラットケーブルを得ることができる。
【００１４】
第３の態様に係るフラットケーブル押出金型によると、樹脂吐出口が、短尺方向において対向する上側部分及び下側部分の両方のうちの長手方向における中間部分を含む部分が上側に向けて凸となる形状に湾曲しているため、複数の芯線をより均一に被覆して、より平坦な形状のフラットケーブルを得ることができる。
【００１５】
第４の態様に係るフラットケーブルの製造方法によると、フラットケーブル押出金型を用いて、複数の芯線を内金型の芯線案内口を通じて一方向に沿って扁平な形態で並列状に下流側に移動させると共に、絶縁被覆材料を内金型と外金型との隙間を通じて樹脂吐出口から複数の芯線の外周部を覆う形態で押し出す。そして、内金型の芯線案内口と外金型の樹脂吐出口とが、樹脂吐出口の短手方向における芯線案内口の開口縁部と樹脂吐出口の開口縁部との間隔が少なくとも樹脂吐出口の長尺方向の中間部分において下側より上側のほうが大きく設定されている。このため、樹脂吐出口から吐出された絶縁被覆材料が重力の影響によって下方に垂れ下がっても、複数の芯線に対して下側より肉厚に吐出された上側の絶縁被覆材料の一部が、複数の芯線の外周部に付着した状態で下方に移動することにより、複数の芯線をより均一に被覆することができる。
【図面の簡単な説明】
【００１６】
【図１】フラットケーブルの斜視図である。
【図２】フラットケーブル押出金型の側断面図である。
【図３】フラットケーブル押出金型の平断面図である。
【図４】内金型の正面図である。
【図５】外金型の背面図である。
【図６】芯線案内口及び樹脂吐出口の正面図である。
【図７】絶縁被覆材料の垂れ下がり変形の様子を示す図である。
【発明を実施するための形態】
【００１７】
以下、実施形態に係るフラットケーブル押出金型について説明する。このフラットケーブル押出金型は、フラットケーブルを製造するための部材である。
【００１８】
＜フラットケーブルの構成＞
説明の便宜上、フラットケーブル１０の構成について説明しておく（図１参照）。フラットケーブル１０は、導体部１１の外周部を絶縁被覆部１３が覆った扁平な形状に形成されている絶縁被覆電線である。ここでは、ハイブリッド電気自動車（ＨＥＶ）、電気自動車（ＥＶ）等の電源供給用ケーブルとして用いられるフラットケーブルを例に挙げて説明する。
【００１９】
導体部１１は、並列状に一列で並べられた複数の芯線１２によって構成されている。芯線１２は、１本又は複数本の素線（図示省略）により構成される線材である。例えば、芯線１２として、複数本の素線を撚って形成された撚線を採用することができる。芯線１２を構成する素線は、アルミ、アルミ合金、銅又は銅合金等の材料により形成される導線である。また、素線は、スズ又はニッケル等の金属めっき処理が施されていることもある。
【００２０】
より具体的には、導体部１１は、隣合う芯線１２同士が少なくとも延在方向一箇所で接触している。すなわち、導体部１１における複数の芯線１２は、電気的に接続されている。
【００２１】
絶縁被覆部１３は、溶融させた絶縁被覆材料１４を複数の芯線１２の外周部を覆う形態で押出成形し、絶縁被覆材料１４が固まることにより形成されている。絶縁被覆材料１４は、絶縁性を有する合成樹脂材料である。例えば、絶縁被覆材料１４として、オレフィン系樹脂又は塩化ビニル系樹脂等の合成樹脂材料を採用することができる。
【００２２】
この絶縁被覆部１３は、導体部１１の延在方向に直交する断面視において、複数の芯線１２が並ぶ方向に沿って長尺に形成されている。より具体的には、絶縁被覆部１３の外部形状は、導体部１１の延在方向に直交する断面視において、長手方向に沿って平行な一対の直線部分と、一対の直線部分の端部同士をそれぞれ結ぶ半円弧状の一対の曲線部分とを有する形状を成している。そして、絶縁被覆部１３は、導体部１１の外周部を、全周に亘って所望の肉厚を確保しつつほぼ均一な厚さで覆っている。
【００２３】
また、絶縁被覆部１３は、複数の芯線１２の外周部に密着し、複数の芯線１２同士の隙間にも入り込んだ形態に形成されている。これにより、フラットケーブル１０は、複数の芯線１２が絶縁被覆部１３の内側でばらけることを抑制され、形状が安定化されている。さらに、絶縁被覆部１３は、隣合う芯線１２同士が接触していない箇所では、隣合う芯線１２間に介在していることもある。
【００２４】
なお、上記フラットケーブル１０の構成は一例であり、上述した形状と異なる形状を採用してもよい。例えば、フラットケーブルは、導体部が、複数の芯線１２が一方向に沿った扁平な形態で並列状に並べられて構成されていればよく、一列の他に二列等で並べられて構成されていてもよい。また、導体部が、複数の芯線１２が互いに隙間をあけて非接触に配列され、複数の芯線１２同士の間に被覆部が介在していてもよい。もっとも、下記の説明においては、上述したフラットケーブル１０を製造する例で説明する。
【００２５】
＜フラットケーブル押出金型の構成＞
次に、フラットケーブル押出金型２０の構成について説明する（図２、図３参照）。このフラットケーブル押出金型２０は、複数の芯線１２をより均一に被覆したフラットケーブル１０を製造するための構造を採用している。より具体的には、フラットケーブル押出金型２０は、絶縁被覆材料１４を、複数の芯線１２に対して下側より上側で肉厚な状態で押出可能にすることにより、複数の芯線１２をより均一に被覆したフラットケーブル１０を製造する。
【００２６】
フラットケーブル押出金型２０は、内金型３０と、外金型５０とを備え、この内金型３０と外金型５０とが組み合わされることにより構成されている。
【００２７】
内金型３０は、主として複数の芯線１２を通過させて案内する部分である（図２〜図４参照）。より具体的には、内金型３０は、芯線通過方向Ｓの後方から前方に向けて、順に基部４２、突出部３８及び延出部３６を有している。そして、内金型３０は、全体に亘って芯線通過方向Ｓに沿って貫通する芯線案内部３２と、基部４２において芯線通過方向Ｓに沿って貫通する樹脂導入部４４とを有している。
【００２８】
芯線案内部３２は、複数の芯線１２を一方向に沿って扁平な形態で並列状に案内可能に形成された部分である。この芯線案内部３２は、芯線通過方向Ｓに沿って貫通する孔状に形成されている。より具体的には、芯線案内部３２は、先端側に芯線案内口３４を有すると共に、その後方に芯線案内口３４より広い内部空間を有する芯線導入部３９を有している。
【００２９】
芯線案内口３４は、複数の芯線１２を一方向に沿って扁平な形態で並列状に芯線通過方向Ｓに沿って案内する部分である。この芯線案内口３４は、複数の芯線通過路３５が一方向に沿って扁平な形態で並列状に（ここでは、芯線通過方向Ｓに直交する方向に一列に）並んだ形状に形成されている（図６参照）。
【００３０】
芯線通過路３５は、内金型３０（延出部３６）の先端部で円状に開口すると共に芯線１２を延在方向に沿って通過可能に形成された中空状の部分である。この芯線通過路３５は、芯線通過方向Ｓに沿って延在する形状に形成されている。また、芯線通過路３５は、芯線通過方向Ｓに直交する断面視において、芯線１２の外接円かそれより大きい（ここでは僅かに大きい）円に沿った形状に形成されている。また、複数の芯線通過路３５は、互いに側部で連通する形態で設けられている。より具体的には、複数の芯線通過路３５同士は、自身が沿う円同士が外接又は重複する箇所で内部空間が連通している。すなわち、隣合う芯線通過路３５を通過する各芯線１２は、隣合う芯線通過路３５の連通部分で接触し得る形態で芯線通過方向Ｓ前方に移動可能である。
【００３１】
芯線導入部３９は、芯線案内口３４の芯線通過方向Ｓ後方で、芯線案内口３４に向けて移動する複数の芯線１２を補助的に案内可能に形成された部分である。芯線導入部３９は、内金型３０（基部４２）の芯線通過方向Ｓ後端部で開口すると共に芯線案内口３４に連通している。より具体的には、芯線導入部３９は、芯線通過方向Ｓに沿って直線状に延びる部分と、その前方から芯線通過方向Ｓに直交する断面視において内部空間が徐々に小さくなって芯線案内口３４に連続するテーパー状に形成された部分とを有している。
【００３２】
内金型３０の芯線通過方向Ｓ後端部に形成された基部４２は、直方体等のブロック状に形成された部分である。この基部４２は、芯線通過方向Ｓに直交する方向に沿って扁平な形状に形成されている。
【００３３】
突出部３８は、基部４２のうちの芯線通過方向Ｓ前方側の面の中央から前方に向けて先細り形状で突出する部分である。より具体的には、突出部３８は、芯線通過方向Ｓ後端部から延出部３６の後端部まで、芯線通過方向Ｓに直交する断面視において略長方形の断面が徐々に小さくなる形状に形成されている。そして、突出部３８の外周面は、主として、延出部３６に向けて傾斜する４つの斜面によって構成されている。
【００３４】
延出部３６は、突出部３８の先端部から芯線通過方向Ｓ前方に向けて延出する部分である。内金型３０の先端部を成す延出部３６は、複数の芯線通過路３５が並ぶ一方向に沿った扁平形状に形成されている。内金型３０は、延出部３６の厚さ方向が上下方向に沿う姿勢で用いられる。以下、フラットケーブル押出金型２０について上下方向という場合には、前記方向を指すものとする。
【００３５】
樹脂導入部４４は、突出部３８及び延出部３６の外周側の位置に絶縁被覆材料１４を案内する部分である。すなわち、溶融された絶縁被覆材料１４は、樹脂導入部４４を通じて突出部３８及び延出部３６の外周側の位置に送られる。ここでは、樹脂導入部４４は、芯線通過方向Ｓに沿って貫通する孔部であり、突出部３８（延出部３６）の長手方向に沿って長尺な矩形状に開口し、突出部３８に隣接して両側（上下）に設けられている。この樹脂導入部４４は、長手方向において、突出部３８の長手寸法より大きい寸法に設定されている。
【００３６】
外金型５０は、内金型３０の突出部３８及び延出部３６の外周側に配設され、内金型３０の樹脂導入部４４を通じて送られる絶縁被覆材料１４を突出部３８及び延出部３６の外周部との間を通じて芯線通過方向Ｓ前方に案内する部分である（図２、図３、図５参照）。より具体的には、外金型５０は、芯線案内部３２の突出部３８及び延出部３６の外周部に対して絶縁被覆材料１４が通過可能な隙間をあけて配設されている。そして、この外金型５０は、芯線通過方向Ｓに沿って貫通するように内部空間を連通させる樹脂吐出口５２と樹脂案内部５４とを有している。すなわち、外金型５０は、樹脂吐出口５２及び樹脂案内部５４の内側に、隙間をあけた形態で内金型３０の延出部３６及び突出部３８を配設可能に形成されている。
【００３７】
樹脂吐出口５２は、絶縁被覆材料１４を吐出する孔部であり、芯線案内部３２を通って案内される複数の芯線１２を通過可能に形成されている。この樹脂吐出口５２は、芯線通過方向Ｓに沿った直線状に形成されている。また、樹脂吐出口５２は、外金型５０の先端部で、内金型３０の先端部である延出部３６の長手方向に長尺で且つ延出部３６の長手方向に直交する方向に短尺な形状に開口している。
【００３８】
そして、樹脂吐出口５２は、短手方向における芯線案内口３４の開口縁部との隙間が、少なくとも長尺方向の中間部分において下側より上側の方が大きく設定されている（図６参照）。より具体的には、樹脂吐出口５２は、短尺方向において対向する上側部分５２１及び下側部分５２２の両方のうちの長手方向における中間部分を含む部分が上側に向けて凸となる形状に湾曲している。ここでは、上側部分５２１及び下側部分５２２は、それぞれ長手方向における中間部分に頂部を有し、長手方向全体に亘って湾曲した形状に形成されている。
【００３９】
上側部分５２１及び下側部分５２２の湾曲量及び湾曲形状は、樹脂吐出口５２から吐出された絶縁被覆材料１４の垂れ下がり量及び形状に応じて決定されるとよい。すなわち、この湾曲形状は、絶縁被覆材料１４が温度低下して固まるまでに、重力の影響によって変形することにより、所望の形状になるように逆算して設計される。より具体的には、最終的に、芯線１２の延在方向に直交する断面視において、絶縁被覆部１３が長手方向に沿った平行な一対の直線部分とその両端部同士を結ぶ半円弧状の一対の曲線部分とを有する外部形状により近付くように、樹脂吐出口５２の形状が設定される。例えば、上側部分５２１及び下側部分５２２は、上側部分及び下側部分が互いに平行な直線状に形成されている樹脂吐出口から吐出された絶縁被覆材料の固まる直前における芯線通過方向Ｓに直交する断面形状を上下反転させた形状に沿って形成されてもよい。
【００４０】
また、外金型５０は、樹脂吐出口５２の先端部が芯線案内口３４の先端部に対して面一かそれより前方に位置する形態で配設されている。図２、図３では、外金型５０は、樹脂吐出口５２の先端部が芯線案内口３４の先端部に対して前方に位置する形態で配設されている例を示している。もっとも、外金型５０は、樹脂吐出口５２の先端部が芯線案内口３４の先端部に対して面一となる形態で配設されていてもよい。
【００４１】
樹脂案内部５４は、樹脂吐出口５２の芯線通過方向Ｓ後方に形成され、樹脂吐出口５２の内部空間に連通して、樹脂吐出口５２より大きい内部空間を有する。ここでは、樹脂案内部５４は、外金型５０の芯線通過方向Ｓ後端部において、芯線通過方向Ｓに直交する断面視において内金型３０の突出部３８の後端部より大きく且つ一対の樹脂導入部４４を含む大きさで略矩形状に開口している。すなわち、樹脂案内部５４は、内金型３０と外金型５０とが組み合わされた状態で、樹脂導入部４４と連通する。また、樹脂案内部５４は、芯線通過方向Ｓに直交する断面視において、外金型５０の芯線通過方向Ｓ後端部から樹脂吐出口５２に向けて徐々に内部空間が小さくなる形状に形成されている。
【００４２】
＜フラットケーブルの製造方法＞
次に、フラットケーブル押出金型２０を用いたフラットケーブルの製造方法について説明する。このフラットケーブル押出金型２０は、絶縁被覆材料１４を溶融させて押し出す押出機にセットして用いられる。なお、フラットケーブル押出金型２０は、上下方向が鉛直方向に沿う姿勢でセットされることが好ましいが、取付誤差等の範囲で傾いている場合を許容するものとする。
【００４３】
まず、フラットケーブル押出金型２０において、内金型３０の芯線案内口３４を通じて複数の芯線１２を一方向に沿って扁平な形態で並列状に（ここでは一列で）下流側に移動させる（工程（ａ））。この工程は、例えば、フラットケーブル押出金型２０の芯線通過方向Ｓ上流側で芯線１２を巻取収納した各収納体から複数の芯線１２を供給すると共に、下流側で複数の芯線１２を引き出すことにより行われるとよい。そして、複数の芯線１２は、内金型３０の芯線案内部３２の芯線通過方向Ｓ後方から、芯線導入部３９に挿通されると共に各芯線案内口３４に挿通され、芯線通過方向Ｓ前方へ移動される。これにより、複数の芯線１２は、芯線案内口３４の隣合う芯線通過路３５の連通部分を通じて延在方向において部分的に接触する形態で、並列状に一列で下流側に移動する。
【００４４】
また、フラットケーブル押出金型２０において、内金型３０と外金型５０との隙間を通じて、樹脂吐出口５２から絶縁被覆材料１４を上記工程（ａ）で下流側に移動される複数の芯線１２の外周部を覆う形態で押し出す（工程（ｂ））。すなわち、押出機により溶融させた絶縁被覆材料１４をフラットケーブル押出金型２０を通じて押し出す。まず、溶融された絶縁被覆材料１４は、溶融状態又は少なくとも軟らかい状態で、内金型３０の樹脂導入部４４内に押し流される。樹脂導入部４４を通過後、絶縁被覆材料１４は、外金型５０と突出部３８との間、外金型５０と延出部３６との間の順に押し流される。換言すると、前記順は、内金型３０と樹脂案内部５４との間、内金型３０と樹脂吐出口５２との間の順である。ここで、樹脂導入部４４から芯線通過方向Ｓ前方に押し流される絶縁被覆材料１４は、突出部３８の両側方における内金型３０と外金型５０との隙間にも行き亘って、芯線通過方向Ｓに直交する断面視において環状を成して押し流される。そして、樹脂吐出口５２を通じて吐出される絶縁被覆材料１４は、芯線案内口３４を通じて出てくる複数の芯線１２の外周部に付着しつつ、芯線通過方向Ｓ前方に向けて移動する。
【００４５】
ここで、樹脂吐出口５２から吐出された直後の絶縁被覆材料１４は、樹脂吐出口５２の上側部分５２１及び下側部分５２２の形状に対応した形状を成している（図７参照）。すなわち、吐出直後の絶縁被覆材料１４は、延在方向に直交する断面視における短手方向において複数の芯線１２を挟む部分が上側に向けて凸となる湾曲形状を成している。より具体的には、絶縁被覆材料１４は、複数の芯線１２の上側の部分のうちの長手方向中間部分でより肉厚に形成され、複数の芯線１２の下側の部分のうちの長手方向中間部分でより肉薄に形成されている。
【００４６】
上記形状で吐出された後、まだ高温で軟らかい状態の絶縁被覆材料１４は、下流側に移動する途中で、重力の影響により僅かに下方に垂れ下がる。以下、絶縁樹脂材料１４の具体的な変形態様を説明する。
【００４７】
すなわち、鉛直方向においてより長く延在している複数の芯線１２の両側方の部位が、複数の芯線１２の外周部に付着した状態で下方に垂れ下がろうとする。これにより、絶縁被覆材料１４のうちの前記部位は、複数の芯線１２の両側方から、複数の芯線１２の下方に向けて流れ込む。
【００４８】
また、絶縁被覆材料１４のうちの複数の芯線１２の上側の部位は、下方に移動しようとする複数の芯線１２の両側方の部位に連なって、複数の芯線１２の両側方に向けて流れ込む。すなわち、絶縁被覆材料１４のうちの複数の芯線１２の上側における中間部分は、両側方に向けて流れ出る。これにより、絶縁被覆材料１４のうちの複数の芯線１２の上側における中間部分は、吐出直後より肉薄になり、他の部位とほぼ同じ厚さになっていく。
【００４９】
また、絶縁被覆材料１４のうちの複数の芯線１２の下側の部位は、両側方から下方に向けて流れ込んだ部位によって中間部分に向けて押し流される。すなわち、絶縁被覆材料１４のうちの複数の芯線１２の下側における中間部分には、絶縁被覆材料１４が両側方から流れ込む。これにより、絶縁被覆材料１４のうちの複数の芯線１２の下側における中間部分は、吐出直後より肉厚になり、他の部分とほぼ同じ厚さになっていく。
【００５０】
以上のように、複数の芯線１２の外周部を覆う絶縁被覆材料１４は、樹脂吐出口５２から吐出された後、固まるまでに徐々に変形していく。より具体的には、絶縁被覆材料１４は、芯線通過方向Ｓに直交する断面形状が長手方向に沿って略平行に対向する一対の略直線状の部分とこの両端部をそれぞれ結ぶ一対の略半円弧状の曲線部分とを有する形状に近付いていく（図７の２点鎖線参照）。
【００５１】
この後、絶縁被覆材料１４が温度低下して固まることにより、複数の芯線１２により構成される導体部１１の外周部を被覆する絶縁被覆部１３が形成される。なお、絶縁被覆材料１４は、水中に浸されること等により冷却されてもよいし、自然に温度低下するのを待ってもよい。
【００５２】
なお、上記工程（ａ）及び（ｂ）は同時に行われる。もっとも、工程の開始時には、工程（ａ）及び（ｂ）のうちの一方を先に行いつつ、途中で他方を開始してもよい。
【００５３】
上記実施形態に係るフラットケーブル押出金型２０及びフラットケーブルの製造方法によると、内金型３０の芯線案内口３４と外金型５０の樹脂吐出口５２とが、樹脂吐出口５２の短手方向における芯線案内口３４の開口縁部と樹脂吐出口５２の開口縁部との間隔が少なくとも樹脂吐出口５２の長尺方向の中間部分において下側より上側のほうが大きく設定されている。このため、樹脂吐出口５２から吐出された絶縁被覆材料１４が重力の影響によって下方に垂れ下がっても、複数の芯線１２に対して下側より肉厚に吐出された上側の絶縁被覆材料１４の一部が、複数の芯線１２の外周部に付着した状態で下方に移動することにより、複数の芯線１２の上側の絶縁被覆材料１４の厚さは確保され、複数の芯線をより均一に被覆することができる。
【００５４】
これにより、より平坦な形状のフラットケーブル１０を得ることができる。そして、フラットケーブル１０の製造工程において、製造されたフラットケーブル１０が延在方向に沿って搬送されている途中で被覆状態の良好さを確認するオンライン寸法測定における精度も向上させることができる。
【００５５】
すなわち、製造されたフラットケーブル１０は、搬送途中でレーザーを利用した側距センサにより厚さ寸法を測定することがある。より具体的には、搬送されるフラットケーブル１０を支持又は搬送する回転ローラーのフラットケーブル１０に対する接触箇所において、回転ローラーを挟んだ反対側からレーザーを照射すると共に反射光を受光して、フラットケーブル１０の厚さ寸法を測定している。ところが、従来のフラットケーブル押出金型では、樹脂吐出口から吐出された絶縁被覆材料１４が垂れ下がってしまうと、出来上がった被覆部が、フラットケーブルの断面視長手方向の中間部分において、導体部の上側で肉薄且つ下側で肉厚となってしまう恐れがあった。すなわち、断面視略弧状のフラットケーブルが製造され、搬送時にフラットケーブルの両側が回転ローラーに対して浮いてしまう。そして、このフラットケーブルについて搬送中に厚さ寸法を測定する際に、フラットケーブルの幅方向においてレーザーが照射される相対位置がずれてしまうと、異なる厚さ寸法を検知され、寸法測定精度が低下する恐れがあった。
【００５６】
これに対して、上記実施形態に係るフラットケーブル押出金型２０を用いれば、より平坦なフラットケーブル１０を得られ、フラットケーブル１０の幅方向においてレーザーが照射される相対位置がずれても測定寸法のばらつきを抑制することができる。
【００５７】
また、樹脂吐出口５２が、短尺方向において対向する上側部分５２１及び下側部分５２２のうちの少なくとも一方のうちの長手方向における中間部分を含む部分が上側に向けて凸となる形状に湾曲している。このように絶縁被覆材料１４の垂れ下がりによる肉薄化又は肉厚化の影響が大きくなる恐れのある中間部分に湾曲形状が設けられているため、より平坦な形状のフラットケーブル１０を得ることができる。
【００５８】
また、樹脂吐出口５２が、短尺方向において対向する上側部分５２１及び下側部分５２２の両方のうちの長手方向における中間部分を含む部分が上側に向けて凸となる形状に湾曲しているため、複数の芯線１２の上下両方において絶縁被覆材料１４を平坦に変形させることができ、複数の芯線１２をより均一に被覆して、より平坦な形状のフラットケーブル１０を得ることができる。
【００５９】
外金型５０の樹脂吐出口５２は、上記実施形態で説明した形状に限られるものではない。樹脂吐出口５２は、短尺方向において対向する上側部分及び下側部分のうちの少なくとも一方のうちの長手方向における中間部分を含む部分が上側に向けて凸となる形状に湾曲しているとよい。すなわち、樹脂吐出口の上下一方にでも湾曲形状を採用することにより、絶縁被覆材料１４が重力の影響によって垂れ下がっても、固まったときの形状を複数の芯線１２（導体部１１）の上下の少なくとも一方で、より平坦な形状にすることができる。より好ましくは、上記実施形態で説明したように、上下に湾曲形状を採用した形状がよい。
【００６０】
また、樹脂吐出口５２は、長手方向に亘って湾曲部分が設けられている形状に限られず、長手方向中間部分を含む一部に湾曲部分が設けられていてもよい。
【００６１】
これまで、複数の芯線１２をより均一に被覆するために、樹脂吐出口５２として湾曲形状の上側部分５２１及び下側部分５２２を有する形状を採用した例を説明してきたが、これに限られるものではない。すなわち、芯線案内口３４と樹脂吐出口５２とは、樹脂吐出口５２の短手方向における芯線案内口３４の開口縁部と樹脂吐出口５２の開口縁部との間隔が、少なくとも樹脂吐出口５２の長尺方向の中間部分において下側より上側の方が大きく設定された形状であればよい。これにより、絶縁被覆材料１４のうちの複数の芯線１２の上側の中間部分及び複数の芯線１２の下側の中間部分の厚さを他の部分となるべく同じにすることができ、平坦な形状のフラットケーブルを得ることができると考えられる。例えば、単に内金型３０と外金型５０との上下方向の相対位置をずらしてもよいし、外金型５０において樹脂吐出口５２を上側にずらした構成、又は、内金型において芯線案内口３４（或いは延出部３６）を下側にずらした構成を採用してもよい。
【００６２】
また、内金型３０の芯線案内口３４が、複数の芯線通過路３５が並列状に一列で並べられた形状に形成されている例で説明してきたが、これに限られるものではない。芯線案内口３４は、複数の芯線１２を一方向に沿って扁平な形態で並列状に案内可能であればよく、複数の芯線通過路３５が並列状に互い違いで２列に並べられた形状又はその他の形状でもよい。
【００６３】
以上のように、フラットケーブル押出金型２０及びフラットケーブルの製造方法は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【００６４】
１０  フラットケーブル
１２  芯線
１４  絶縁被覆材料
２０  フラットケーブル押出金型
３０  内金型
３４  芯線案内口
３５  芯線通過路
５０  外金型
５２  樹脂吐出口
５２１  上側部分
５２２  下側部分
【図１】
2013144374.tif 000003
【図２】
2013144374.tif 000004
【図３】
2013144374.tif 000005
【図４】
2013144374.tif 000006
【図５】
2013144374.tif 000007
【図６】
2013144374.tif 000008
【図７】
2013144374.tif 000009